(57)【要約】【課題】  速やかに解析条件を変更すると共に、変更した解析条件で計測データを解析した結果を速やかにユーザに提示することを目的とする。【解決手段】  設定手段２１と、表示手段２２と、設定情報対応付け手段２３と、選択手段２４と、を有し、表示手段２２は、選択手段２４において選択されると、表示手段２２に対応する設定情報に基づいて解析された計測データの解析結果に係る解析データを表示することによって上記課題を解決する。【選択図】  図３
2007018075.tif 000002
【特許請求の範囲】
【請求項１】
異なる解析機能又は異なる解析範囲に係る複数の設定情報を設定する設定手段と、
計測データの解析結果に係る解析データを表示する複数の表示手段と、
前記設定手段において設定された複数の設定情報の内、少なくとも１つ以上の設定情報と、前記複数の表示手段と、を対応付ける設定情報対応付け手段と、
ユーザからの要求に応じて、前記複数の表示手段の内から少なくとも１つ以上の表示手段を選択する選択手段と、
を有し、
前記表示手段は、前記選択手段において選択されると、前記表示手段に対応する設定情報に基づいて解析された計測データの解析結果に係る解析データを表示することを特徴とする情報処理装置。
【請求項２】
計測データを設定情報に基づいて解析する解析手段を更に有し、
前記表示手段は、前記選択手段において選択されると、前記表示手段と対応付けられた設定情報を前記解析手段に提供し、
前記解析手段は、計測データを前記表示手段より提供された設定情報に基づいて解析し、解析した解析結果に係る解析データを前記表示手段に提供することを特徴とする請求項１記載の情報処理装置。
【請求項３】
コンピュータを、
異なる解析機能又は異なる解析範囲に係る複数の設定情報を設定する設定手段と、
計測データの解析結果に係る解析データを表示する複数の表示手段と、
前記設定手段において設定された複数の設定情報の内、少なくとも１つ以上の設定情報と、前記複数の表示手段と、を対応付ける設定情報対応付け手段と、
ユーザからの要求に応じて、前記複数の表示手段の内から少なくとも１つ以上の表示手段を選択する選択手段と、
して実行させる解析データ表示プログラムであって、
前記表示手段は、前記選択手段において選択されると、前記表示手段に対応する設定情報に基づいて解析された計測データの解析結果に係る解析データを表示することを特徴とする解析データ表示プログラム。
【請求項４】
請求項３記載の解析データ表示プログラムを記録したことを特徴とするコンピュータ読み取り可能な記録媒体。
【請求項５】
計測データの解析結果に係る解析データを表示する複数の表示手段を有する情報処理装置における解析データ表示方法であって、
異なる解析機能又は異なる解析範囲に係る複数の設定情報を設定する設定段階と、
前記設定段階において設定された複数の設定情報の内、少なくとも１つ以上の設定情報と、前記複数の表示手段と、を対応付ける設定情報対応付け段階と、
ユーザからの要求に応じて、前記複数の表示手段の内から少なくとも１つ以上の表示手段を選択する選択段階と、
前記選択段階において選択された表示手段に対応する設定情報に基づいて解析された計測データの解析結果に係る解析データを、前記選択段階において選択された表示手段に表示する表示段階と、
を含むことを特徴とする解析データ表示方法。
【発明の詳細な説明】
【技術分野】
【０００１】
本発明は、情報処理装置、解析データ表示プログラム、記録媒体及び解析データ表示方法に関する。
【背景技術】
【０００２】
従来、計測機器等では、計測データの解析の条件等を変更するためには、前記条件を一つ一つ新たに入力し直したり、予め登録していた前記条件のファイル等を選択し直したりする操作が必要であった。また、異なる前記条件で解析するためには、前記条件を変更後、計測器等を用いて再び計測し直さなければならいない問題もあった。
【０００３】
【特許文献１】特開平８−１９３８７５号公報
【発明の開示】
【発明が解決しようとする課題】
【０００４】
しかしながら、上述したような手作業で条件を入力する操作はユーザによって煩わしい問題があった。また、ユーザが選択したファイルをハードディスク等から呼び出す処理は時間がかかる問題もあった。
【０００５】
本発明は上記の点に鑑みなされたもので、速やかに解析条件を変更すると共に、変更した解析条件で計測データを解析した結果を速やかにユーザに提示することを目的とする。
【課題を解決するための手段】
【０００６】
そこで、上記問題を解決するため、本発明は、異なる解析機能又は異なる解析範囲に係る複数の設定情報を設定する設定手段と、計測データの解析結果に係る解析データを表示する複数の表示手段と、前記設定手段において設定された複数の設定情報の内、少なくとも１つ以上の設定情報と、前記複数の表示手段と、を対応付ける設定情報対応付け手段と、ユーザからの要求に応じて、前記複数の表示手段の内から少なくとも１つ以上の表示手段を選択する選択手段と、を有し、前記表示手段は、前記選択手段において選択されると、前記表示手段に対応する設定情報に基づいて解析された計測データの解析結果に係る解析データを表示することを特徴とする。
【０００７】
本発明によれば、異なる解析機能又は異なる解析範囲に係る複数の設定情報を設定する設定手段と、計測データの解析結果に係る解析データを表示する複数の表示手段と、前記設定手段において設定された複数の設定情報の内、少なくとも１つ以上の設定情報と、前記複数の表示手段と、を対応付ける設定情報対応付け手段と、ユーザからの要求に応じて、前記複数の表示手段の内から少なくとも１つ以上の表示手段を選択する選択手段と、を有し、前記表示手段は、前記選択手段において選択されると、前記表示手段に対応する設定情報に基づいて解析された計測データの解析結果に係る解析データを表示することにより、例えばユーザからの要求に応じて、選択手段が表示手段を選択することが、設定情報の変更となり、前記設定情報で計測データを解析した結果を前記表示手段で表示するので、速やかに解析条件を変更すると共に、変更した解析条件で計測データを解析した結果を速やかにユーザに提示することができる。
【０００８】
なお、情報処理装置は、例えば後述するＰＣ１等に対応する。また、設定手段は、例えば後述する設定部２１等に対応する。また、表示手段は例えば後述する表示部２２（表示部Ａ２２1、表示部Ｂ２２2、表示部Ｃ２２3、・・・）等に対応する。また、設定情報対応付け手段は、例えば後述する設定情報対応付け部２３等に対応する。選択手段は、例えば後述する選択部２４等に対応する。
【０００９】
また、上記問題を解決するため、本発明は、解析データ表示プログラム、記録媒体及び解析データ表示方法としてもよい。
【発明の効果】
【００１０】
本発明によれば、速やかに解析条件を変更すると共に、変更した解析条件で計測データを解析した結果を速やかにユーザに提示することができる。
【発明を実施するための最良の形態】
【００１１】
以下、本発明の実施例について図面に基づいて説明する。始めに、本発明に係る計測・解析システムの一例を図１に示す。図１は、本発明に係る計測・解析システムの一例を示す図である。
【００１２】
図１に示されるように、計測・解析システムは、ＰＣ（Ｐｅｒｓｏｎａｌ  Ｃｏｍｐｕｔｅｒ）１と、計測器（計測ユニット）２と、がネットワークを介して接続されている。計測器２は、例えば複数のチャンネル（図１の例では、ｃｈ．１、ｃｈ．２、ｃｈ．３）を有し、入力された計測に係るアナログデータ（例えば、自動車等のエンジンの振動や、自動車等の風切り音等のアナログデータ）をデジタルデータに変換し、ＰＣ１に送信する。
【００１３】
ＰＣ１では、予めユーザ等に設定された異なる解析機能及び／又は異なる解析範囲に係る複数の設定情報（解析条件の情報等）を保持しており、ユーザからの後述する表示部２２の選択（又は切り替え）要求に応じて、選択された表示部２２に対応する設定情報を用いて、計測器２より計測に係るデジタルデータ（以下、単に計測データという）を解析し、解析結果に係る解析データを、選択された表示部２２等に表示する。
【００１４】
次に、ＰＣ１のハードウェア構成の一例を図２に示す。図２は、ＰＣの一例のハードウェア構成図である。図２に示されるように、ＰＣ１は、ハードウェア構成として、入力装置１１と、表示装置１２と、記録媒体ドライブ装置１３と、ＲＯＭ（Ｒｅａｄ  Ｏｎｌｙ  Ｍｅｍｏｒｙ）１５と、ＲＡＭ（Ｒａｎｄｏｍ  Ａｃｃｅｓｓ  Ｍｅｍｏｒｙ）１６と、ＣＰＵ（Ｃｅｎｔｒａｌ  Ｐｒｏｃｅｓｓｉｎｇ  Ｕｎｉｔ）１７と、インターフェース装置１８と、ＨＤ（Ｈａｒｄ  Ｄｉｓｋ）１９と、を含む。
【００１５】
入力装置１１は、ＰＣ１のユーザ（又は操作者）が操作するキーボード及びマウス等で構成され、例えばユーザがＰＣ１に設定情報等を入力するのに用いられる。表示装置１２は、ＰＣ１のユーザが利用するディスプレイ等で構成され、各種データ（表示部）等を表示するのに用いられる。
【００１６】
インターフェース装置１８は、ＰＣ１をネットワーク等に接続するインターフェースである。ＰＣ１は、インターフェース装置１８を介して、例えば計測器２等と接続されている。後述するフローチャート等に係るプログラム（以下、解析データ表示プログラムという）は、例えば、ＣＤ−ＲＯＭ等の記録媒体１４によってＰＣ１に提供されるか、ネットワーク等を通じてダウンロードされる。記録媒体１４は、記録媒体ドライブ装置１３にセットされ、解析データ表示プログラムが記録媒体１４から記録媒体ドライブ装置１３を介してＨＤ１９にインストールされる。
【００１７】
ＲＯＭ１５は、ＰＣ１の電源投入時に最初に読み込まれるプログラム等を記録する。ＲＡＭ１６は、ＰＣ１のメインメモリである。ＣＰＵ１７は、必要に応じて、ＨＤ１９より解析データ表示プログラムを読み出して、ＲＡＭ１６に格納し、解析データ表示プログラムを実行することで、後述するフローチャート等を実行する。また、ＨＤ１９は、解析データ表示プログラム以外に、例えばユーザ等によって設定された設定情報等を格納する。
【００１８】
以下、ＣＰＵ１７、ＲＡＭ１６、ＨＤ１９及び解析データ表示プログラム等から構成される、ＰＣ１の機能構成の一例を図３に示す。図３は、ＰＣの一例の機能構成図である。図３に示されるように、ＰＣ１は、機能構成として、設定部２１と、少なくとも１つ以上の表示部２２（図３では、２２1〜２２3）と、設定情報対応付け部２３と、選択部２４と、計測・解析部２５と、データ格納部２６と、を含む。
【００１９】
設定部２１は、図４に示されるようなコンフィグボード１００等を用いたユーザからの要求に応じて、設定情報を設定し、保持する。ここで、図４は、コンフィグボードの一例を示す図である。ユーザは、図４に示されるようなコンフィグボード１００等を用いてチャンネル（計測器２のチャンネル）を選択すると共に、このチャンネルに割り当てる少なくとも１つ以上の解析機能及び／又は解析範囲（例えば、周波数レンジ）等の設定情報を設定する。
【００２０】
設定情報対応付け部２３は、例えば入力装置１１等を介したユーザからの要求に応じて、設定部２１が設定した設定情報と、表示部２２（図３の例では、表示部２２1〜２２3）と、を対応付ける。なお、表示部２２は、例えば、設定情報対応付け部２３において、設定情報と対応付けられたときに生成される。
【００２１】
図５は、設定情報と表示部との対応付けの概念図である。図５に示されるように、設定部２１は、ユーザ等からの要求に応じて、例えばチャンネル１（ＣＨ．１）に、１０ＫＨｚのＦＦＴ（Ｆａｓｔ  Ｆｏｕｒｉｅｒ  Ｔｒａｎｓｆｏｒｍ）の設定情報や、１ＫＨｚのＦＦＴの設定情報、１／３オクターブバンドのＲＴＡ（Ｒｅａｌ  Ｔｉｍｅ  Ａｎａｌｙｚｅｒ）の設定情報、次数比解析の設定情報等、複数の解析機能及び／又は異なる解析範囲の設定情報をＰＣ１に設定する。また、設定情報対応付け部２３は、ユーザ等からの要求に応じて、設定情報と、表示部２２と、を対応付ける。例えば、設定情報対応付け部２３は、１０ＫＨｚのＦＦＴの設定情報及び１ＫＨｚのＦＦＴの設定情報を表示部Ａ２２1と対応付け、１／３オクターブバンドのＲＴＡの設定情報と、表示部Ｂ２２2と、を対応付け、次数比解析の設定情報と、表示部Ｃ２２3と、を対応付ける。設定情報対応付け部２３は、設定情報と表示部２２とを対応付けた対応付け情報を例えばテーブル等に格納し保持する。
【００２２】
再び図３の説明に戻り、選択部２４は、図６に示されるような表示部選択ツリー１１０等を用いたユーザからの要求に応じて、例えば複数存在する表示部２２の内の一つの表示部２２を選択し、選択した旨の情報を選択した表示部２２に通知する。
【００２３】
図６は、表示部選択ツリーの一例を示す図である。ユーザは、図６に示されるような表示部選択ツリー１１０等を用いてディスプレイ等に表示する表示部２２を選択する。
【００２４】
再び図３の説明に戻り、表示部２２は、選択部２４より選択した旨の情報を受け取ると、設定情報対応付け部２３等が保持する、自身（表示部２２）と対応付けられている設定情報を設定情報対応付け部２３（のテーブル）より取得（コピー）し、取得した設定情報を計測・解析部２５に渡して、この設定情報を用いて計測データを解析した解析結果（解析データ）の提供を計測・解析部２５に要求し、計測・解析部２５より受け取った解析データを表示する。
【００２５】
ここで、表示部Ａ２２1が表示する解析データの一例を、図７に示す。図７は、表示部Ａが表示する解析データの一例を示す図である。図７に示されるように、表示部Ａ２２1には、１０ＫＨｚのＦＦＴの解析データと、１ＫＨｚのＦＦＴの解析データと、が例えばグラフ等で表示される。
【００２６】
また、表示部Ｂ２２2が表示する解析データの一例を、図８に示す。図８は、表示部Ｂが表示する解析データの一例を示す図である。図８に示されるように、表示部Ｂ２２2には、１／３オクターブバンドのＲＴＡの解析データが、例えばグラフ等で表示される。
【００２７】
計測・解析部２５は、表示部２２等からこの表示部２２に対応する設定情報を含んだ解析データの取得要求を受け取ると、この取得要求に応じて計測器２より取り込み、データ格納部２６に格納した計測データ、又は予めデータ格納部２６に格納しておいた計測データを、データ格納部２６より取得し、前記受け取った取得要求に含まれる設定情報に基づいて計測データを解析（又は変換）し、解析した結果を解析データとして要求元の表示部２２に提供する。
【００２８】
例えば、計測・解析部２５は、計測器２のチャンネル１（ＣＨ．１）を介して入力され、データ格納部２６に格納した計測データに対して、表示部２２からの要求に応じて、１０ＫＨｚのＦＦＴや、１ＫＨｚのＦＦＴ、又は１／３オクターブバンドのＲＴＡ、又は次数比解析等を行い、解析結果を、解析データとして要求元の表示部２２に提供する。つまり、計測・解析部２５は、設定情報に応じて、計測データを１０ＫＨｚのＦＦＴする機能や、計測データを１ＫＨｚのＦＦＴする機能、計測データを１／３オクターブバンドのＲＴＡする機能、計測データを次数比解析する機能等、複数の解析機能を有している。
【００２９】
以下、本発明に係る解析データ表示処理の一例を、図９に示す。図９は、解析データ表示処理の一例を示すフローチャートである。ステップＳ１０において、設定部２１は、ユーザ等からの要求に応じて、異なる解析機能及び／又は解析範囲に係る複数の設定情報を設定する。
【００３０】
ステップＳ１０に続いてステップＳ１１に進み、設定情報対応付け部２３は、ユーザ等からの要求に応じて、ステップＳ１０において設定部２１に設定された設定情報と、表示部２２と、を対応付ける。
【００３１】
ステップＳ１１に続いてステップＳ１２に進み、選択部２４は、ユーザによって表示部２２の一つが選択されたか否かを判定する。選択部２４は、ユーザによって表示部２２の一つが選択されたと判定すると（ステップＳ１２においてＹＥＳ）、ステップＳ１３に進み、選択されていないと判定すると（ステップＳ１２においてＮＯ）、ステップＳ１２の処理を繰り返す。例えばここで説明の簡略化のため、ユーザによって表示部Ａ２２1が選択されたものとする。
【００３２】
ステップＳ１３では、ステップＳ１２において選択部２４によって選択された表示部Ａ２２1が、設定情報対応付け部２３等が保持する、自身（表示部Ａ２２1）と対応付けられている設定情報を取得（コピー）し、取得した設定情報を含む、この設定情報を用いて計測データを解析した解析結果（解析データ）の取得（提供）要求を計測・解析部２５に渡す。
【００３３】
ステップＳ１３に続いてステップＳ１４に進み、計測・解析部２５は、表示部２２より、この解析データ表示処理の中で、初めて解析データの取得要求を受け取ると、計測器２より計測データを取得（又は取り込んで）、データ格納部２６に格納する。
【００３４】
ステップＳ１４に続いてステップＳ１５に進み、計測・解析部２５は、ステップＳ１４においてデータ格納部２６に格納した計測データを、ステップＳ１３において表示部Ａ２２1より受け取った解析データの取得要求に含まれる設定情報に基づいて、解析（又は変換）し、解析した解析結果を解析データとして、要求元の表示部Ａ２２1に提供する。
【００３５】
ステップＳ１５に続いてステップＳ１６に進み、表示部Ａ２２1は、計測・解析部２５より解析データを受け取ると、解析データをグラフ等で表示する（例えば、図７等参照。）。なお、表示部Ａ２２1は、選択された時点で取りあえず自身に対応する枠（ボード）等を表示し、計測・解析部２５が、計測データを計測・解析した後で、解析データをグラフ等で自身に対応する枠（ボード）等の上に表示するようにしてもよい。
【００３６】
ステップＳ１６に続いてステップＳ１７に進み、選択部２４は、ユーザによって表示部２２の他の一つが選択されたか否かを判定する。選択部２４は、ユーザによって表示部２２の他の一つが選択されたと判定すると（ステップＳ１７においてＹＥＳ）、ステップＳ１９に進み、選択されていないと判定すると（ステップＳ１７においてＮＯ）、ステップＳ２１に進む。例えばここで説明の簡略化のため、ユーザによって表示部Ｂ２２2が選択されたものとする。
【００３７】
ステップＳ１８では、ステップＳ１７において選択部２４によって選択された表示部Ｂ２２2が、設定情報対応付け部２３等が保持する、自身（表示部Ｂ２２2）と対応付けられている設定情報を取得（コピー）し、取得した設定情報を含む、この設定情報を用いて計測データを解析した解析結果（解析データ）の取得（提供）要求を計測・解析部２５に渡す。
【００３８】
ステップＳ１８に続いてステップＳ１９に進み、ステップＳ１４においてデータ格納部２６に格納した計測データを、ステップＳ１８において表示部Ｂ２２2より受け取った解析データの取得要求に含まれる設定情報に基づいて、解析（又は変換）し、解析した解析結果を解析データとして、要求元の表示部Ｂ２２2に提供する。
【００３９】
ステップＳ１９に続いてステップＳ２０に進み、表示部Ｂ２２2は、計測・解析部２５より解析データを受け取ると、解析データをグラフ等で表示する（例えば、図８等参照。）。
【００４０】
ステップＳ２１では、ＣＰＵ１７（又は解析データ表示プログラム）等が、解析データ表示処理を終了するか否かを判定し、終了すると判定すると（ステップＳ２１においてＹＥＳ）、解析データ表示処理を終了し、終了しないと判定すると（ステップＳ２１においてＮＯ）、ステップＳ１７の処理に戻る。
【００４１】
ステップＳ１０で、設定部２１が異なる解析機能及び／又は解析範囲に係る複数の設定情報を設定し、ステップＳ１１で、設定情報対応付け部２３が、設定情報と、表示部２２と、を対応付け、ステップＳ１５やステップＳ１９で、計測・解析部２５が、表示部２２からの要求に応じて、表示部２２に対応付けられた設定情報に基づいて計測データを解析し、ステップＳ１６や、ステップＳ２０で、選択部２４によって選択された表示部２２が、表示部２２に対応する設定情報に係る解析データを表示することによって、ユーザは、表示部２２を選択する（切り替える）操作によって、そのまま解析条件（又は設定条件）を切り替え、解析結果を速やかに表示させることが出来る。
【００４２】
つまり、本実施例によれば、速やかに解析条件を変更すると共に、変更した解析条件で計測データを解析した結果を速やかにユーザに提示することが出来る。また、本実施例によれば、同じ計測データを解析しているため、例えば解析条件を変える度に計測し直し、新たな計測データを取得していた従来の技術等に比べて、計測対象のデータの同一性を保障することができる。
【００４３】
また、例えば本実施例によれば、解析条件等の設定情報は、予め専門の知識を有する人等に設定しておいてもらえさえすれば、ユーザは、画面を選択する（切り替える）だけで、解析条件等の設定情報を切り替え、欲しい解析結果をＰＣ１に表示させることができる。
【００４４】
以上、本発明の好ましい実施例について詳述したが、本発明は係る特定の実施例に限定されるものではなく、特許請求の範囲に記載された本発明の要旨の範囲内において、種々の変形・変更が可能である。
【００４５】
例えば、上述した実施例では、計測器２が計測するアナログデータの内、音響の例として自動車等の風切り音を示したが、これに限定されるものではなく、例えば道路、鉄道、工場等の騒音や、建設機器の騒音、車等の室内空間の反響音、ＰＣや、プリンタ、ＦＡＸ、コピー機等のＯＡ機器の騒音、エアコンや、洗濯機、冷蔵庫等の家電製品の騒音等様々なものがある。
【００４６】
同様に、上述した実施例では、計測器２が計測するアナログデータの内、振動の例として自動車等のエンジンの振動を示したが、これに限定されるものではなく、例えばエンジン以外のモータ、タービン、ポンプ等の回転体（回転機械）の振動（例えば、ねじり振動）や、自動車等のトランスミッション内等の歯車の振動、エンジン等のノッキング振動、ＯＡ機器の振動、家電製品の振動等様々なものがある。
【図面の簡単な説明】
【００４７】
【図１】図１は、本発明に係る計測・解析システムの一例を示す図である。
【図２】図２は、ＰＣの一例のハードウェア構成図である。
【図３】図３は、ＰＣの一例の機能構成図である。
【図４】図４は、コンフィグボードの一例を示す図である。
【図５】図５は、設定情報と表示部との対応付けの概念図である。
【図６】図６は、表示部選択ツリーの一例を示す図である。
【図７】図７は、表示部Ａが表示する解析データの一例を示す図である。
【図８】図８は、表示部Ｂが表示する解析データの一例を示す図である。
【図９】図９は、解析データ表示処理の一例を示すフローチャートである。
【符号の説明】
【００４８】
１      ＰＣ
２      計測器
１１    入力装置
１２    表示装置
１３    記録媒体ドライブ装置
１４    記録媒体
１５    ＲＯＭ
１６    ＲＡＭ
１７    ＣＰＵ
１８    インターフェース装置
１９    ＨＤ
２１    設定部
２２    表示部
２３    設定情報対応付け部
２４    選択部
２５    計測・解析部
２６    データ格納部
１００  コンフィグボード
１１０  表示部選択ツリー
【図１】
2007018075.tif 000003
【図２】
2007018075.tif 000004
【図３】
2007018075.tif 000005
【図４】
2007018075.tif 000006
【図５】
2007018075.tif 000007
【図６】
2007018075.tif 000008
【図７】
2007018075.tif 000009
【図８】
2007018075.tif 000010
【図９】
2007018075.tif 000011